(57)【要約】 【課題】  製造過程から消費者が開封するまでの過程で収納箱上面板の切取部周辺に破損が生じることのない衛生用紙収納箱を提供する。【解決手段】  略直方体形状の紙製収納箱１の内部に衛生用紙を収納するとともに、紙製収納箱１の上面板２に、衛生用紙の取出口Ａを形成する切取部が形成されている。切取部は、紙製収納箱１の長手方向に沿って延在し、その幅方向両側縁が長手方向中央部から長手方向両端部に向けて互いに離間するように湾曲している。切取部の周囲には、切取部を挟んで紙製収納箱の幅方向両側に位置して切取部の幅方向両側縁と反対側に湾曲する第１の押罫部１９と、切取部を挟んで紙製収納箱の長手方向両側に位置して第１の押罫部１９とで切取部を包囲するように湾曲する第２の押罫部２１とが形成されている。第１の押罫部１９は、その延出方向両端部が切取部の幅方向両側縁から紙製収納箱１の幅方向に離間している。【選択図】  図２
2007267987.tif 000002
【特許請求の範囲】
【請求項１】
略直方体形状の紙製収納箱の内部に衛生用紙を収納するとともに、当該紙製収納箱の少なくとも１面に、前記衛生用紙の取出口を形成する切取部を有する衛生用紙収納箱であって、
前記切取部は、前記紙製収納箱の長手方向に沿って延在するとともに、その幅方向両側縁が長手方向中央部から長手方向両端部に向けて互いに離間するように湾曲し、
前記切取部の周囲には、前記切取部を挟んで前記紙製収納箱の幅方向両側に位置して前記切取部の幅方向両側縁と反対側に湾曲する第１の押罫部と、前記切取部を挟んで前記紙製収納箱の長手方向両側に位置して前記第１の押罫部とで前記切取部を包囲するように湾曲する第２の押罫部とが形成されており、
前記第１の押罫部は、その延出方向両端部が前記切取部の幅方向両側縁から前記紙製収納箱の幅方向に離間する
ことを特徴とする衛生用紙収納箱。
【請求項２】
前記第１の押罫部の延出方向両端部と前記切取部の幅方向両側縁との前記紙製収納箱の幅方向の離間幅は、前記紙製収納箱の幅寸法に対し４％以上であることを特徴とする請求項１記載の衛生用紙収納箱。
【請求項３】
前記第１の押罫部と前記第２の押罫部とは、前記紙製収納箱の長手方向に離間し、両押罫部の間にＶ字形の第３の押罫部が形成されていることを特徴とする請求項１又は２に記載の衛生用紙収納箱。
【請求項４】
前記第１の押罫部、前記第２の押罫部及び前記第３の押罫部は、前記紙製収納箱の表面側から内面側に凹んだ凹状溝として形成されていることを特徴とする請求項１〜３のいずれか１項に記載の衛生用紙収納箱。
【請求項５】
前記紙製収納箱は、該収納箱を形成している紙素材の抄紙方向に対してその長手方向が直交する方向となるように形成されていることを特徴とする請求項１〜４のいずれか１項に記載の衛生用紙収納箱。
【発明の詳細な説明】
【技術分野】
【０００１】
本発明は、略直方体形状の紙製収納箱の内部にティシュペーパー等の衛生用紙を収納するとともに、当該紙製収納箱の少なくとも１面に、衛生用紙の取出口を形成する切取部を有する紙製収納箱に関するものである。より詳細には、本発明は、切取部の周辺に強度を高める押罫部を設けたフィルムレスの紙製収納箱に関する。
【背景技術】
【０００２】
家庭やオフィス等で広く使われている収納箱入り衛生用紙としては、ティシュペーパー、ちり紙、ペーパータオル、トイレットペーパーなどが挙げられる。これらの衛生用紙を収納した製品は、収納箱の上面に、衛生用紙を取り出すための取出口を形成する帯状の切取部を有しており、使用者は、該切取部を切り離して取出口を形成して使用している。このように形成された取出口の内面には、通常、形成される取出口を収納箱内面側から覆っており、中央部に取り出し用のスリットが形成されているポリエチレンフィルム等のプラスチックフィルムが貼着されている(特許文献１)。
【０００３】
上記のような収納箱内に収納されている衛生用紙は、一般的には、２枚重ねの状態を一組として隣接する２枚重ねの衛生用紙と交互に折り重ねられ、１５０組程度を一束として箱内に収納されており、使用者が取出口を覆っているプラスチックフィルムのスリットから２枚一組の衛生用紙を引き出すと、引出された衛生用紙の後半部分と折り重ねられている後続する２枚一組の衛生用紙の前半部分が収納箱内部から引き出されてくる。
収納箱の内面に貼着されているプラスチックフィルムは、引出された衛生用紙の前半部分をスリットを通して摩擦により衛生用紙が収納箱内に落ち込むことを防いでいるとともに、外部の塵や異物が収納箱内に入り込むのを防止する役割も果たしている。
【０００４】
上記のような取出口にプラスチックフィルムを貼着したタイプの紙製収納箱に代わって、近年、取出口内面にプラスチックフィルムを配置していない、フィルムレスタイプの紙製収納箱も提案されている(特許文献２、特許文献３、特許文献４)。
このようなフィルムレスタイプの取出口を有する収納箱の場合、プラスチックフィルムに形成したスリットと同様に、ポップアップされて取出口から外部に引出されている衛生用紙の後半部分を挟持して該部分が収納箱内部に落ち込む（逆戻りする）ことを防止するための工夫が求められるが、その対策として、収納箱の取出口の形状を、収納箱の長手方向中央部から長手方向両端部に向けて幅狭とする菱形状とすることにより、該両端部の菱形の箇所で衛生用紙の幅方向両端部を保持できる形状としたものが提案されている（特許文献５)。また、取出口の長手方向両端部にスリットを形成した収納箱も提案されている（特許文献６）。
【０００５】
しかし、上記のように取出口でポップアップされた衛生用紙を保持する機能を付与した収納箱の場合、衛生用紙を取出す際に取出口に存在する鋭角部に衛生用紙の幅方向両端部が引っ掛かって破れたり、取出し時における取出口での摩擦が大きく、ポップアップ方式で継続する衛生用紙をスムーズに取出すことができない場合がある。
【０００６】
本出願人は、すでに、上記の取出し抵抗が大きいこと起因するトラブルのないフィルムレスタイプの衛生用紙入り収納箱として、取出口の長手方向中央部に括れ部を有する第１湾曲張出部で衛生用紙面を保持するとともに、取出口の長手方向両端部にも衛生用紙幅方向両端面を保持する機能を有する舌片状の第２湾曲張出部を形成した衛生用紙入り収納箱を提案している（特許文献７）。
しかしながら、上記従来構造では、特に、取出口形成用の切取部の形成板部に十分な強度が得られず、切取部が衛生用紙収納箱の製造過程や、製造された製品の流通過程、店内での取り扱い過程で破損して商品価値が損なわれたり、また使用時に切取部を容易に切り取ることができないという問題があった。
【特許文献１】実公昭４１−６４６４号公報
【特許文献２】実開昭５７−１６７０８０号公報
【特許文献３】特開平９−１５０８７１号公報
【特許文献４】実開平４−８０８７８号公報
【特許文献５】実開平６−７２８８３号公報
【特許文献６】特開平９−３０５７３号公報
【特許文献７】特開２００５−２２５５６２号公報
【発明の開示】
【発明が解決しようとする課題】
【０００７】
本発明は、取出口形成用の切取部が衛生用紙収納箱の製造過程や、製造された製品の流通過程、店内での取り扱い過程で破損してしまって商品価値が損なわれてしまうことのないように切取部を外力から保護し、さらに、切取部を容易に切り取ることができるように改良することを課題とするものである。
【課題を解決するための手段】
【０００８】
上記の課題を解決するための本発明は、以下の各発明を包含する。
（１）略直方体形状の紙製収納箱の内部に衛生用紙を収納するとともに、当該紙製収納箱の少なくとも１面に、前記衛生用紙の取出口を形成する切取部を有する紙製収納箱であって、
前記切取部は、前記紙製収納箱の長手方向に沿って延在するとともに、その幅方向両側縁が長手方向中央部から長手方向両端部に向けて互いに離間するように湾曲し、
前記切取部の周囲には、前記切取部を挟んで前記紙製収納箱の幅方向両側に位置して前記切取部の幅方向両側縁と反対側に湾曲する第１の押罫部と、前記切取部を挟んで前記紙製収納箱の長手方向両側に位置して前記第１の押罫部とで前記切取部を包囲するように湾曲する第２の押罫部とが形成されており、
前記第１の押罫部は、その延出方向両端部が前記切取部の幅方向両側縁から前記紙製収納箱の幅方向に離間することを特徴とする衛生用紙収納箱。
【０００９】
（２）前記第１の押罫部の延出方向両端部と前記切取部の幅方向両側縁との前記紙製収納箱の幅方向の離間幅は、前記紙製収納箱の幅寸法に対し４％以上であることを特徴とする（１）項記載の衛生用紙収納箱。
【００１０】
（３）前記第１の押罫部と前記第２の押罫部とは、前記紙製収納箱の長手方向に離間し、両押罫部の間にＶ字形の第３の押罫部が形成されていることを特徴とする（１）項又は（２）項に記載の衛生用紙収納箱。
【００１１】
（４）前記第１の押罫部、前記第２の押罫部及び前記第３の押罫部は、前記紙製収納箱の表面側から内面側に凹んだ凹状溝として形成されていることを特徴とする（１）項〜（３）項のいずれか１項に記載の衛生用紙収納箱。
【００１２】
（５）前記紙製収納箱は、該収納箱を形成している紙素材の抄紙方向に対してその長手方向が直交する方向となるように形成されていることを特徴とする（１）項〜（４）項のいずれか１項に記載の衛生用紙収納箱。
【発明の効果】
【００１３】
本発明の衛生用紙収納箱によれば、切取部の周囲には、切取部を挟んで紙製収納箱の幅方向両側に位置して切取部の幅方向両側縁と反対側に湾曲する第１の押罫部と、切取部を挟んで紙製収納箱の長手方向両側に位置して第１の押罫部とで切取部を包囲するように湾曲する第２の押罫部とが形成されているので、製造過程、製品の流通過程、販売のための取り扱い過程で切取部の形成板部に曲げ力等が加わった場合、第１の押罫部及び第２の押罫部により、切取部形成板部の変形が抑制されて切取部が開封前に不用意に破損することがなく、商品価値が損なわれることがない。
なお、第１の押罫部及び第２の押罫部を切取部と合わせて全体的にバランスの取れた対称形に配置すれば、紙製収納箱の切取部の形成板部に力感あふれる機能美を感じさせる優れた外観を付与できる。
【００１４】
また、切取部を切り取ったあとの取出口側縁に形成される一対の湾曲張出部（以下、「第１湾曲張出部」という。）に、切取部の切取時や衛生用紙を引出して取出す際に上方への曲げ力が加わっても、第１の押罫部により、第１湾曲張出部がその付け根に相当する部分で上方に折れ曲がることが抑制され、使用中に第１湾曲張出部の端縁が上方に反り返ることがなく、ポップアップされて取出口に引出されている衛生用紙面に対する十分な接触保持力を維持することができる。
【００１５】
前記第１の押罫部の延出方向両端部と前記切取部の幅方向両側縁との前記紙製収納箱の幅方向の離間幅は、前記紙製収納箱の幅寸法に対し４％以上であることが好ましい。前記第１の押罫部の延出方向両端部と前記切取部の幅方向両側縁との前記紙製収納箱の幅方向の離間幅は、前記紙製収納箱の幅寸法に対し４％未満であると、切取部の切取時や衛生用紙を取出す際に第１湾曲張出部が上方に折れ曲がることを効果的に抑制できず、また使用中に第１湾曲張出部の端縁が上方に反り返ることを効果的に防止できず、ポップアップされて取出口に引出されている衛生用紙面に対する十分な接触保持力を維持することができない。
【００１６】
第１の押罫部と第２の押罫部とを紙製収納箱の長手方向に離間し、両押罫部の間にＶ字形の第３の押罫部を形成すれば、切取部が開封前に不用意に破損するのをより効果的に防止できる。
【００１７】
第１の押罫部、第２の押罫部及び前記第３の押罫部を紙製収納箱の表面側から内面側に凹んだ凹状溝として形成すれば、製品の流通過程において複数の紙製収納箱を崩れ落ちることなく積み重ねることができる。
【００１８】
紙製収納箱を形成している紙素材の抄紙方向に対してその長手方向が直交する方向となるように紙製収納箱を形成すれば、切取部の切取時や衛生用紙を引出す際に第１湾曲張出部が上方に折れ曲がることをより効果的に抑制でき、また使用中に第１湾曲張出部の端縁が上方に反り返ることをより効果的に防止でき、ポップアップされて取出口に引出されている衛生用紙面に対する十分な接触保持力をより確実に維持することができる。
【００１９】
なお、衛生用紙がポップアップされて取出口から上方に引き出された後、自重等によって収納箱内に落ち込もうとする衛生用紙はその面が幅の狭い括れ箇所で湾曲張出部と接触し、その接触抵抗によってポップアップ状態が維持されることとなる。
【００２０】
以上のように、本発明の衛生用紙収納箱は、切取部が製造過程や、製造された製品の流通過程、店内での取り扱い過程で破損してしまって商品価値が損なわれてしまうことがなく、しかも切取部を容易に切り取ることができる。
【発明を実施するための最良の形態】
【００２１】
本発明の衛生用紙収納箱は、前記したように、基本的には以下の構造を有している。
略直方体形状の紙製収納箱の内部に衛生用紙を収納するとともに、当該紙製収納箱の少なくとも１面に、衛生用紙の取出口を形成する切取部を有する紙製収納箱であって、切取部は、紙製収納箱の長手方向に沿って延在するとともに、その幅方向両側縁が長手方向中央部から長手方向両端部に向けて互いに離間するように湾曲し、切取部の周囲には、切取部を挟んで紙製収納箱の幅方向両側に位置して切取部の幅方向両側縁と反対側に湾曲する第１の押罫部と、切取部を挟んで紙製収納箱の長手方向両側に位置して第１の押罫部とで切取部を包囲するように湾曲する第２の押罫部とが形成されており、第１の押罫部は、その延出方向両端部が切取部の幅方向両側縁から紙製収納箱の幅方向に離間する。
【００２２】
本発明の衛生用紙収納箱の箱体を形成する素材は、一般に紙製のボックス型の包装用容器に使用されるタイプの紙であり、古紙などを使用している紙器板紙、ダンボー原紙、建材原紙等の厚紙が使用されるが、特に限定されるものではない。白板乃至白板紙は印刷適性が優れていることから好ましい素材である。
【００２３】
本発明の衛生用紙収納箱の切取部は、例えばミシン目状切取線や鎖線状切取線で囲まれて形成される。切取線は、切取部の長手方向中央部ではミシン目状切取線、鎖線状切取線のいずれでもよいが、製品製造過程、流通過程、店頭販売時の取り扱い過程での破損防止と切り取り易さ、及び切取部を切取った後の端部がポップアップされた衛生用紙面と接触した状態における保持性の観点からミシン目状切取線であることが好ましい。
【００２４】
本発明の衛生用紙収納箱の第１の押罫部、第２の押罫部及び第３の押罫部は、断面形状が凹状溝となる溝幅を有するように形成されることが好ましい。収納箱の製造工程や流通過程で収納箱の板面を変形させる力は、長手方向に対する直角方向、すなわち、曲線状切取線に直交する方向に加わる場合が多いので、特に、第１の押罫部の溝幅を広くして補強効果を高めておくことが有効である。
【００２５】
本発明の衛生用紙収納箱の第２の押罫部は、種々の形状とすることができるが、特に、円弧状とする場合には溝幅の狭い溝部となるように形成することが好ましい。第２の押罫部を円弧状として溝幅を広くすると、曲率半径が小さいため、押罫部周辺に亀裂が生じて補強効果が小さくなり、外観が損なわれるおそれがある。
【００２６】
以下、図面に従い、本発明が適用された衛生用紙収納箱の形状、構造について具体的に説明するが、本発明はこれらの実施例に限定されるものではない。
【００２７】
図１は、本発明の衛生用紙収納箱の一例を示す展開図であり、図２は、平面図であり、図３は、図２のＸ−Ｘ線断面図、図４は、本発明の衛生用紙収納箱の使用状態を示している。各図中、同一符号は同一部分を表わしている。
【００２８】
図１において、符号１は紙製収納箱、２は紙製収納箱１の上面板、１２は帯部、１３は摘み部、１４は両側縁におけるミシン目状切込線、１５は摘み部の折目線、１６は摘み部の鎖線状切込線、１７は第１湾曲張出部、１８は第２湾曲張出部、１９は曲線型の第１の押罫部、２０はＶ字型の第３の押罫部、２１は曲線形の第２の押罫部を示す。
図１に示すように、紙製収納箱１は、紙素材の抄紙方向に対してその長手方向が直交する方向となるように形成されている。そして、例えば、白板紙のような厚紙を打ち抜いて切込線、押罫部等を入れたブランクを形成し、折線に沿って直方体形状に組み立ててられている。紙製収納箱１の大きさは、長手方向の寸法が２４２ｍｍであり、幅方向の寸法が１１６ｍｍであり、高さが５０ｍｍとなっている。紙製収納箱１の大きさは、これに限らず、適宜変更可能である。この紙製収納箱１には、内部に衛生用紙が収納されている。衛生用紙としては、一例として、縦寸法１９７ｍｍ、横寸法２２６ｍｍのティシュペーパー等の衛生用紙が用いられ、２枚を１組として隣接する２枚重ねの衛生用紙と交互に折り重ねられ、１５０組を一束として紙製収納箱１に収納される。
【００２９】
図１に示すように、紙製収納箱１の底面３には、収納衛生用紙が少なくなった場合に箱内に押し込み収納衛生用紙を押上げることができるように、押罫部２２で囲まれた矩形部を挟んでその一辺を付け根に相当する部分とする半円形の押し込み片２４が切込線２３によって形成されている。
図１において、符号５と６は側面板で、７，８は端面板で、９，１０は内フラップ、１１は解体用切込線を表わしている。
【００３０】
図４に示した衛生用紙の取出口Ａは、開封前は、図１における上面板２の中央部の収納箱の長手方向に沿って延在する切取部によって覆われている。切取部は、摘み部１３−帯状部１２−摘み部１３で構成され、その幅方向両側縁が長手方向中央部から長手方向両端部に向けて互いに離間するように湾曲されている。
衛生用紙の取出口Ａの形成は、上面板２に鎖線状切込線１６，１６、ミシン目状切込線１４，１４で囲まれた摘み部１３，１３、帯状部１２からなる切取部全体を切り離し、取り除くことによって形成される。また、摘み部周囲の切取線は、摘み部１３，１３となる部分を指で軽く押し込むだけで、周辺に押し込む力の影響を及ぼすことなく切り離しできるものであることが好ましく、長い切込線と短い接続部の組合せからなる鎖線状切取線が好ましい。ミシン目状切込線１４と摘み部１３の鎖線状切込線とが接続する接続点付近には、上面板２の表面側から上面板２の厚さ方向中間層に至る切込線からなる折目線１５が形成されている。折目線１５は、摘み部１３を押し下げた際に切り離されてしまうことがなく、かつ、切り離した後に該摘み部１３を摘んで上方に引き上げながら切取部を切取線１４に沿って切り取る際に該折目線１５から千切れてしまうことがない限り、連続線状及び所定間隔の不連続腺状のいずれの状態の切込線であってもよい。
なお、本実施例では、切取部の最小幅寸法Ｂ１が約１６ｍｍであり、切取部の最大幅寸法Ｂ２が約５５ｍｍであり、折目線１５間の長さＬ１が約１１６ｍｍ、切取部の全体長さＬ２が１６０ｍｍとなっている。
【００３１】
具体的手順は、まず、摘み部１３を指で箱内に押し込んで鎖線状切込線１６を切り離す。このとき、折目線１５は上層側から板紙の中間層に止まる深さの切込線として形成されているので、摘み部１３は箱内方向に折り曲げ易くなっている。また、切込線１６は一点鎖線状で接合部が少ないので切り離し易く、摘み部１３は他の部分、たとえば、第２湾曲張出部１８に、該部分を箱内方向に折り曲げてしまうような悪い影響を与えることがなく切り離すことができる。
次いで、箱内から摘み部１３を引き上げ、該摘み部１３を把持して帯状部１２の両側縁のミシン目１４に沿って帯状部１２を切り離し、最後に帯状部１２を挟んで反対側に配置されている摘み部１３を切り離して取り除く。
【００３２】
このように取出口Ａが形成された状態で、帯状部１２が取り除かれた両側に取出口方向に弓形の曲線状に膨らんで、ミシン目状切込部１４が切り離されて形成された端縁を有する第１湾曲張出部１７，１７が形成され、摘み部１３が取り除かれた両端部には、中央部が取出口方向に膨らんだ第２湾曲張出部１８が形成される。
【００３３】
上記のように取出口Ａが形成されたのち、紙製収納箱１は、図４に示すように収納衛生用紙を引出して使用される。
図４に示すように、収納衛生用紙を上層から順に引出すと、引出された衛生用紙に続く衛生用紙は、通常、ポップアップされて取り出された先行する衛生用紙部分と折り重ねられている部分が引出された衛生用紙と一緒に引出され、図４に示す状態に保持される。
【００３４】
このように一部が引出された状態の衛生用紙は、何らかの対策を講じないと自重や、その他の要因で箱内に落ち込んでしまうことがあり、再度落ち込んだ衛生用紙を引出すためには、箱内に指を差し入れ、手探りでその折り畳み端部を探し当てて引出さなければならない。
紙製収納箱１の場合、図４のようにポップアップされた衛生用紙は、その面の幅方向中心部が第１湾曲張出部１７の取出口Ａの内方側に膨らんで最も突き出た状態の端縁部分と接触し、該端縁との接触抵抗によって収納箱内に落ち込むことが防止されることとなるが、このとき、第１湾曲張出部１７の端縁は、相対している第１湾曲張出部１７の端縁との間が小さくなっていることに加えて、ミシン目１４を切り離した端縁にミシン目の接続部が凸状に残存しているためにポップアップされた衛生用紙面との接触抵抗が適度である。
【００３５】
また、取出口Ａの長手方向両端において、摘み部１３が除かれて形成されている第２湾曲張出部１８，１８の端縁の中央部が取出口Ａの内方になだらかに突き出た凸形状を有していることから、ポップアップされてくる衛生用紙の両側面も舌片部なだらかな凸部の端縁との接触抵抗によって箱内に落ち込むことが抑制される。
このように、紙製収納箱１は、第１湾曲張出部１７，１７と第２湾曲張出部１８，１８の両端縁でポップアップされる衛生用紙の面を保持するので、衛生用紙が箱内に逆戻りすることが効果的に防止される。
【００３６】
このように構成されている切取部、すなわち摘み部１３、１３、帯状部１２の周囲には、第１の押罫部１９、第２の押罫部２１及び第３の押罫部２０が形成されている。第１の押罫部１９、第２の押罫部２１及び第３の押罫部２０は、図４に示されるように紙製収納箱１の上面板２の表面側から内面側に凹んだ凹状溝として形成されている。
第１の押罫部１９は、帯状部１２を挟んで紙製収納箱１の幅方向両側に１対設けられ、帯状部１２の幅方向両側縁と反対側に湾曲している。この第１の押罫部１９は、その延出方向両端部が切取部の幅方向両側縁から紙製収納箱１の幅方向に幅Ｂ３（図２に図示）だけ離間している。離間幅Ｂ３は、紙製収納箱の幅寸法に対し４％以上に設定されており、本実施例では１０ｍｍに設定されている。離間幅Ｂ３が紙製収納箱１の幅寸法に対し４％未満であると、切取部の切取時や衛生用紙を取出す際に第１湾曲張出部１７が上方に折れ曲がることを効果的に抑制できず、また使用中に第１湾曲張出部１７の端縁が上方に反り返ることを効果的に防止できず、ポップアップされて取出口Ａに引出されている衛生用紙面に対する十分な接触保持力を維持することができない。なお、第１の押罫部１９の延出方向両端部には、第１の押罫部１９と直交する止め用押罫部が連続して形成されている。
この第１の押罫部１９は、取出口Ａを形成するために切取部を切り取るときや、収納衛生用紙を取り出すときに第１湾曲張出部１７を持ち上げる力が作用しても、第１湾曲張出部１７の付け根に相当する部分となる部分、すなわち、両端部の第２湾曲張出部１８の幅方向に最も突出している部分同士を結んだ線Ｌが折れ線となって第１湾曲張出部１７が上方に折れ曲がることを抑制し、第１湾曲張出部１７に衛生用紙面に対する保持機能を付与する役目を有している。
【００３７】
第２の押罫部２１は、摘み部１３、帯状部１２、摘み部１３を挟んで紙製収納箱１の長手方向両側に摘み部１３に隣接して１対設けられ、第１の押罫部１９とで摘み部１３、帯状部１２、摘み部１３を包囲するように湾曲している。第２の押罫部２１は、第２湾曲張出部１８が上方に持ち上げられて折り曲げられることを抑制し、特には第２湾曲張出部１８に衛生用紙の保持機能を付与する役目を有している。
第１の押罫部１９と第２の押罫部２１とは、紙製収納箱１の長手方向に離間し、両押罫部の間に第３の押罫部２０が形成されている。第３の押罫部２０は、第１湾曲張出部１７の付け根部分（線Ｌ（図２に一点鎖線で図示））と交差する辺を有するＶ字型となっている。この第３の押罫部２０は、第１の押罫部１９と同様に、取出口Ａを形成するために切取部を切り取るときや、収納衛生用紙を取り出すときに第１湾曲張出部１７を持ち上げる力が作用しても、第１湾曲張出部１７の付け根に相当する部分となる部分、すなわち、両端部の第２湾曲張出部１８の幅方向に最も突出している部分同士を結んだ線Ｌが折れ線となって第１湾曲張出部１７が上方に折れ曲がることを抑制し、第１湾曲張出部１７に衛生用紙面に対する保持機能を付与する役目を有している。
以上のように、切取部、すなわち摘み部１３、１３、帯状部１２の周囲に第１の押罫部１９、第２の押罫部２１及び第３の押罫部２０が形成され、第１の押罫部１９、第２の押罫部２１及び第３の押罫部２０によって摘み部１３、１３、帯状部１２が包囲されるので、紙製収納箱１の製造過程、製品の流通過程、販売のための取り扱い過程において、紙製収納箱１の上面板２にひずみが生じるような力が加わった場合にも上面板２が変形することを抑制でき、これにより切取線１４、１６が切り離されることがなく、商品価値が損なわれることがないという作用効果を有する。加えて、切取部、すなわち摘み部１３、１３、帯状部１２が切り取られて取出口Ａが形成され、使用者の利用に供された状態においても、ポップアップされた衛生用紙が紙製収納箱１の内部に逆戻りしてしまことがないような取出口Ａの湾曲張出部１７、１８を形成することにも寄与しているものである。
なお、上記実施例では、第１の押罫部１９と第２の押罫部２１との間に第３の押罫部２０を形成したが、第１の押罫部１９の延出方向両端部が切取部の幅方向両側縁から紙製収納箱１の幅方向に離間する構成であればよく、第３の押罫部２０を省略してもよい。
また、上記実施例では、紙製収納箱１の上面板２に切取部を形成したが、紙製収納箱１の少なくとも一面に切取部が形成される構成であればよく、紙製収納箱１の上面板２及び底面板３の双方に切取部を形成するようにしてもよい。
【図面の簡単な説明】
【００３８】
【図１】本発明の衛生用紙収納箱の一例を示す展開図である。
【図２】本発明の衛生用紙収納箱の平面図である。
【図３】図２のＸ−Ｘ線に沿う断面図である。
【図４】本発明の衛生用紙収納箱の使用状態を示す図である。
【符号の説明】
【００３９】
１：紙製収納箱
２：上面板
３：底面版
４：糊代片
５，６：側面板
７，８：端面板
９，１０：内フラップ
１１：解体用切込線
１２：帯部
１３：摘み部
１４：ミシン目状切込線
１５：折目線
１６： 一点鎖線状切込線
１７：第１湾曲張出部
１８：第２湾曲張出部
１９：第１の押罫部、
２０：第３の押罫部、
２１：第２の押罫部
２２：矩形押罫部
２３：切込線
２４：押し込み片
【図１】
2007267987.tif 000003
【図２】
2007267987.tif 000004
【図３】
2007267987.tif 000005
【図４】
2007267987.tif 000006